(57)【特許請求の範囲】
【請求項１】
所定の長さで筒形に形成され、かつ、その軸線が斜めに配設され、さらに、下方の開口縁に円板体の出口が形成されている第１のタンク手段(41)と、
前記第１タンク手段内の前記出口の近傍に配置され、かつ、前記軸線をほぼ中心に回転自在に配設されている円板体の放出手段(46)と、
筒形に形成され、かつ、その軸線(59)が前記第１タンク手段の前記軸線よりも下方に位置して前記第１タンク手段に連通して配設されている第２のタンク手段(56)と、
前記第１タンク手段と前記第２タンク手段との間に前記第１タンク手段の軸線及び前記第２タンク手段の軸線とほぼ平行な軸線を中心に回転自在に配設されている内向き開口(50)を中央部に有するリング形の搬送手段(52)とを含み、
前記第２タンク手段の前記リング形搬送手段側の開口縁の下部は前記第１タンク手段の前記リング形搬送手段側の開口縁の下方に位置し、
前記リング形搬送手段の前記内向きの開口の下部は前記第２タンク手段の前記リング形搬送手段側の下部開口縁の近傍に位置し、かつ、前記内向き開口の上部は前記第１タンク手段の前記リング形搬送手段側の下部開口縁の上方に位置する
ことを特徴とした円板体放出装置。
【発明の詳細な説明】
【０００１】
【発明の属する技術分野】
本発明は投入されたバラ積み状態の大量の円板体を外部に一個ずつ確実に送り出すための円板体放出装置に関する。
とくに本発明は通貨である円板形のコインあるいはゲーム機に使用される円板形のメダルなどの投入されたバラ積みの円板体を確実に一個ずつ送り出すことが出来る大容量タイプの円板体放出装置に関する。
本発明は更に具体的には大量のメダルを使用してゲームする遊戯装置に好適な円板体放出装置に関する。
【０００２】
【従来の技術】
従来、円板体であるコインを放出する装置としては種々のものが知られている。たとえば多数個のコインをバラ積み状態で収容している略筒形のタンク内でコインの送りディスクを回転してコインを一個ずつ強制的に送り出す装置がある。
具体的にはタンク内でほぼ起立されて配設されたコイン送りディスクが回転されて当該タンク内からコインが一個ずつ拾い上げられて送出される。
この種の円板体放出装置が特公平６−４４３０５号公報（特願平２−１５２８５２）ならびに米国特許番号５，１２２，０９４号に開示されている。
【０００３】
この公報に開示されているコイン送出装置の斜視図が図５に示されており側面から見た断面図が図６に示されている。ここで図５ならびに図６を用いてコイン送出装置の動作を概略的に説明する。まず電気モータ（図示略）により中心の回転軸１２を介在して深い皿形であるコインの送りディスク２が大きな略鍋形のタンク１内で時計方向に回転される。このディスク２の回転によりドラム形のディスク２内のコインはディスク２の周壁４の内側に形成されている突起６によって撹はん作用を受ける。
【０００４】
かくしてディスク２内のコインはディスク２の底に周方向に複数個開口されたコインの受け孔５内に入り込むことになる。
受け孔５内に入り込んだ一番下のコインは受け孔５に保持されつつ回転されるディスク２によって大きな正方形の支持板１１の表面をスライド移動される。
この結果、スライド移動されたコインは図５の左側に示されるコインの出口２３に強制的に送出される。
【０００５】
すなわちコインはディスク２の下面に形成されたコインの送り爪（図示略）ならびに支持板１１の表面に形成された案内板１５およびタンク１を取り付けるためのフランジ周壁２２によってガイドされ出口２３に放出される。
言い換えると送り爪によって移動されるコインはタンク１のフランジ周壁２２ならびに案内板１５にガイドされて最終的には固定位置のガイドローラ（図示略）ならびに可動のガイドローラ２６により案内されてコインの出口２３から強制的に送り出されることになる。
【０００６】
【発明が解決しようとする課題】
しかしながら上述したような円板体放出装置はコインを高速に払い出すことが出来るもののタンク容量が小さく払い出しが直ぐに終わるという問題点があった。とくに大量の円板形メダルを使用するゲーム機においてはプレーの途中においてメダル切れが生じてゲームの面白みを損ねるという問題点があった。
本発明は払い出されるコインなどの円板体の収容能力を大幅に向上できる円板体放出装置の提供を目的に開発されたものである。
加えて本発明はタンク内の円板体を残すことなく総て放出できる円板体放出装置の提供を目的に開発されたものである。
【０００７】
【課題を解決するための手段】
本発明は、所定の長さで筒形に形成され、かつ、その軸線が斜めに配設され、さらに、下方の開口縁に円板体の出口が形成されている第１のタンク手段(41)と、
前記第１タンク手段内の前記出口の近傍に配置され、かつ、前記軸線をほぼ中心に回転自在に配設されている円板体の放出手段(46)と、筒形に形成され、かつ、その軸線(59)が前記第１タンク手段の前記軸線よりも下方に位置して前記第１タンク手段に連通して配設されている第２のタンク手段(56)と、前記第１タンク手段と前記第２タンク手段との間に前記第１タンク手段の軸線及び前記第２タンク手段の軸線とほぼ平行な軸線を中心に回転自在に配設されている内向き開口(50)を中央部に有するリング形の搬送手段(52)とを含み、前記第２タンク手段の前記リング形搬送手段側の開口縁の下部は前記第１タンク手段の前記リング形搬送手段側の開口縁の下方に位置し、前記リング形搬送手段の前記内向きの開口の下部は前記第２タンク手段の前記リング形搬送手段側の下部開口縁の近傍に位置し、かつ、前記内向き開口の上部は前記第１タンク手段の前記リング形搬送手段側の下部開口縁の上方に位置することを特徴とした円板体放出装置である。
【０００８】
また本発明は、前記第２タンク手段の下方開口縁の内側全体に溝が形成されていることを特徴とした円板体放出装置である。
加えて本発明は、前記円板体の搬送手段が其の上面に円板体の保持手段を備えていることを特徴とした円板体放出装置である。
【発明の実施の形態】
以下に本発明を其の実施について添付の図面を参照しつつ説明する。
図１は本発明による一実施例を概略的に示した側面図である。
図２は図１の正面を斜め上方から見た要部の断面端面図である。
【０００９】
図３は図１の要部を示す側面図である。
図４は本発明による他の実施例の要部を示す正面図である。
図１の下部に示される符号３１は大きな矩形の台板であり此の台板３１は例えば円板体であるメダルを使用するゲーム機内などに水平に設置される。
図１の左部に示される三角形のものは左右一対に配設されるフレーム３２であり台板３１の左右端部にそれぞれ起立固定されている。
図１の中央に示される３３は矩形の固定板であり左右のフレーム３２によって起立状態でやや傾斜して固定されている。
【００１０】
なお固定板３３の上縁両端部にはそれぞれヒンジ３４ならびに３４が形成されている。
固定板３３に重ねられた３５は矩形の可動板であり此の可動板３５の上縁両端部はヒンジ３４ならびに３４に枢軸されて該可動板３５は回転自在になっている。固定板３３の下部に示される３６は筒形のスプリングであり此のスプリング３６は固定板３３の下縁両端部と可動板３５の下縁両端部との間に抜け止めスライド自在に配設されている。
具体的には例えば可動板３５と向かい合う固定板３３に有底孔を形成して其の中にスプリング３６をスライド自在に挿入して突出しておく。
【００１１】
したがって可動板３５が軽くなるとスプリング３６の作用によって可動板３５はヒンジ３４を中心に少し上方に回動されることになる。
固定板３３の下面下部にある小さな箱形のものはリミット・スイッチなどのスイッチ３７であり可動板３５の接近ならびに離間によってオンオフされる。
可動板３５の上部に示される４１は短い筒形のタンクであり此の第１のタンク４１は下方の開口縁に外側に突出するフランジ４２が形成されている。
この第１のフランジ４２を介在してタンク４１は可動板３５に固定されている。なおフランジ４２の一部には円板体の出口４３が形成されている。
【００１２】
タンク４１の上方の開口縁には外側に突出する第２のフランジ４４が形成されており此のフランジ４４の略下半分は大きく外向きに形成されている（図２を参照）。
タンク４１内の４６は深い皿形のディスクであり此のディスク４６は電気モータ３９ならびに減速装置（図示略）および回動軸３８によって回転される。
なお図面から明らかなように回動軸３８はディスク４６ならびに第１のタンク４１の中心軸線上にある。
また図２に示される４７は複数個の貫通孔であり此等の貫通孔４７はディスク４６の周方向に等間隔で開口されている。
【００１３】
これらの貫通孔４７は円板体を積み重ねて収納するためのものである。
第２フランジ４４の上には複数個の小形のギア５１が配設されており此等のギア５１は三点支持を形成するように周方向に等間隔で回転自在に配設されている。これらギア５１の上には大きなリング５２が配設されていて該リング５２の下面には大きなギア５３が形成されて三個のギア５１と噛み合っている。
なお此の大きなリング５２は円板体Ｃを搬送するためのものである（図２を参照）。
リング５２の上面には周方向に等間隔で略Ｕ形の窪み５４が多数個形成されていると共に周縁の適所にはピン５８が植設されている（図２を参照）。
【００１４】
第２フランジ４４の下部に示される符号５５は電気モータであり（図１を参照）この電気モータ５５は小形ギア５１ならびに大形ギア５３を介在して大形リング５２を回転駆動するためのものである。
図１の右側に示される５６は大きな筒形である第２のタンクであり此のタンク５６の下方の開口縁には外向きのフランジ５７が形成されている。
なおフランジ５７は三個のギア５１を介在して第２のフランジ４４に複数個のボルト・ナット（図示略）あるいはクランプ（図示略）によって取り付けられる。
【００１５】
また図１から明らかなように第２タンク５６の中心軸線５９は第１タンク４１の中心軸線である回動軸３８線よりも下方に位置することは勿論である。
また第２タンク５６の下方の開口壁は全体が外側に突出されて内側にリング形状の溝６１が形成されている（図３を参照）。
この溝６１は第２タンク５６内の円板体が少なくなったときに円板体を残さずに第１タンク４１内に搬出するためのものである。
言い換えると第２タンク５６の内底から滑り落ちた円板体を溝６１に落ち込ませて起立したピン５８によって円板体を弾き出し結果として窪み５４に入れるためのものである。
【００１６】
したがって溝６１の開口幅Ｗすなわちリング５２の表面と第２タンク５６の内底との距離は円板体Ｃの半径よりも大が望ましいことは勿論である。
【実施例】
上述の構成からなる本実施例は第１タンク４１内ならびに第２タンク５６内に円板体（図示略）の多数個を投入してバラ積み状態にしておく。
つぎにディスク４６を電気モータ３９で回動するとディスク４６が例えば時計方向に回転されることになる。
【００１７】
かくして第１タンク４１内においてバラ積み状態になっている円板体は回転するディスク４６の貫通孔４７内に積み重ねられて収納される。
貫通孔４７内に収納された最下位置の円板体は可動板３５の上面をスライド移動され突起アーム（図示略）によって円板体は一個ずつ出口４３に強制的に送り出されることになる。
すなわち深い皿形のディスク４６の回転によってディスク４６の周壁４８の内側に形成されている突起（図示略）によって円板体は撹はん作用を受ける。
【００１８】
この結果、ディスク４６内の円板体はディスク４６の底部に形成された貫通孔４７内に収納されることになる。
貫通孔４７内に収納された円板体は貫通孔４７を通り抜けて大きな矩形の可動板３５の表面によってスライド自在に保持される。
スライド移動された円板体はディスク４６の下面に形成された円板体の送り爪（図示略）ならびに可動板３５の表面に形成された案内板（図示略）および第１タンク４１を取り付けるためのフランジ４２によってガイドされて出口２３に放出される。
【００１９】
上述のようにして第１タンク４１内の円板体は出口４３から放出されるものの第２タンク５６の下方には円板体が残留することになる。
第１タンク４１内の円板体が少なくなって重量が少なくなると可動板３５の負荷が軽減されてスプリング３６の復元力が作用する。
この結果、スイッチ３７がオンとなって電気モータ５５が回動されてリング５２が回転される。
リング５２が例えば反時計方向に回転されると第２タンク５６の下方にある円板体Ｃが多数個の窪み５４内に填り込んで保持され上方に搬送される。
【００２０】
上方に搬送された円板体Ｃはリング５２の回転による遠心力があるものの円板体Ｃの自重によって落下することになる（図２を参照）。
落下する円板体Ｃは図３の矢印で示されるようにリング５２の開口５０を通り抜けて第１タンク４１の下方に落下することになる。
かくして第１タンク４１内に多数個の円板体が貯留されてディスク４６による円板体の放出が継続されることになる。
なお第１タンク５６内の円板体が多数個になると其の重量で可動板３５がスイッチ３７をオフにして電気モータ３９の回動が停止される。
【００２１】
電気モータ５５は例えばスイッチ３７のオンのあと或る時間の後に停止するようにしても良いことは勿論である。
またディスク４１を深い皿形として説明したが米国特許第４，５８９，４３３号あるいは特願昭５９−２２８２５（特公昭６２−４５５８８）の明細書に示されるような薄い円板形のディスクにしても良いことは勿論である。
この場合、薄いディスクの周縁部には多数個の円軸形になるピンが等間隔に植設され此等の間に円板体が保持されて搬送される。
【００２２】
また円軸形のピンの替わりに小さな短冊形のピンあるいは角軸形のピンなどであっても良いことは勿論である。
なおリング５２の窪み５４の深さは円板体Ｃの厚み一枚分以上あれば良いことは勿論である。
また図３から明らかなようにリング５２の開口５０の大きさ並びに第１タンク４１の開口の大きさ即ちディスク４６の開口４０の大きさはリング５２の傾斜角度ならびに円板体Ｃの落下方向などを考慮して決められることは勿論である。
【００２３】
また大形のリング５２の上面には多数個の窪み５４を形成したが図４に示されるように円軸形のピン７１あるいは小形の短冊形状のピン（図示略）または角軸形のピンなどを多数個設けても良いことは勿論である。
また図２の場合、大形のリング５２の周縁適所にはピン５８が植設されたが図４に示されるように細長い窪み或るいは突起の段部７２であっても良いことは勿論である。
言い換えると段部７２によって溝６１から円板体Ｃを弾き出し結果として複数ピン７１の間あるいは窪み５４に当該円板体Ｃを入れることが出来ることになる。
【００２４】
さらにスプリング３６とスイッチ３７との組み合わせの替わりに感圧素子あるいは歪検出素子（図示略）などのセンサを使用しても良いことは勿論である。
この場合、たとえば可動板３５を取り除いて固定板３３の上面適所に感圧センサを配設し此の感圧センサの上に直接に第１タンク４１のフランジ４２を接触する加えて小形ギア５１ならびに大形ギア５４の替わりにベルト装置を使用しても良いことは勿論である。
またギア装置とベルト装置とを組み合わせて使用しても良いことは勿論である。
【００２５】
【発明の効果】
以上のようになる本発明は第１のタンクに第２のタンクを付加すると共に第２のタンクから第１のタンクへの搬送手段を配設したから互いに連通された第１ならびに第２のタンクに大量の円板体を収容することが出来る。
さらに本発明は第２のタンク内の下方に残る円板体も搬送手段によって第１のタンクに総てを移送できるため大量の円板体を残すことなく完全に使用できるという大きな効果が得られることになる。
したがって本発明は大量のメダルを使用してゲームをする装置においてメダル切れが生じずにゲームの面白みを維持できるという大きな利点が得られる。
【図面の簡単な説明】
【図１】図１は本発明による一実施例を概略的に示す側面図である。
【図２】図２は図１の正面を斜め上から見た要部の断面端面図である。
【図３】図３は図１の要部を示す側面図である。
【図４】図４は本発明による他の実施例の要部を示す正面図である。
【図５】図５は従来例を示す斜視図である。
【図６】図６は図５を側面から見た断面図である。
【符号の説明】
Ｃ：円板体、
第１のタンク手段・・・４１：第１のタンク、４４：フランジ、
円板体の放出手段・・・４３：出口、４６：ディスク、
円板体の搬送手段・・・５２：リング、５４：窪み、
第２のタンク手段・・・５６：第２のタンク、５７：フランジ、６１：溝。
【図１】
0003791725.tif 000002
【図２】
0003791725.tif 000003
【図３】
0003791725.tif 000004
【図４】
0003791725.tif 000005
【図５】
0003791725.tif 000006
【図６】
0003791725.tif 000007